(57)【要約】  【課題】不審者による被締結物の締結の解除を防止できるボルト及び該ボルトの締結方法並びに弛緩方法を提供する。  【解決手段】無垢の金属棒から成るボルト本体４の下方部にはネジ部６を形成し、該ボルト本体４の上端面には、上面に角頭部１４が固設された半球体９を溶接等の手段で固設する。又、前記ボルト本体４の上方部には上面開口の角孔７を設け、前記半球体９の内側面には、該角孔７よりも大径であって、該角孔７に通じる連通孔１１を設ける。前記角頭部１４を工具で回動してボルト１を締め付けて、前記被締結物３を構造物２に締結する。締結後、該半球体９の直上面１３に沿って工具で切断して、前記半球体９の切断面の上部から工具で切削すれば、前記連通孔１１及びこれに通じる角孔７が露呈され、該角孔７に嵌合する工具によりボルト１を弛緩できる。【選択図】  図１
2005291226.tif 000002
【特許請求の範囲】
【請求項１】
構造物に被締結物を締結するためのボルトであって、該ボルトは、無垢の金属棒によって形成されたボルト本体を有し、且つ、該ボルト本体の下方部にはネジ部が形成されて成るボルトに於いて、該ボルト本体の上端面には、半球体が溶接等の手段で固設され、且つ、該半球体の上面に角頭部が固設されると共に、前記ボルト本体の上方部には、上面開口の角孔が設けられ、更に、前記半球体の内側面には、該角孔よりも大径であって、該角孔に通じる連通孔が設けられていることを特徴とするボルト。
【請求項２】
上記半球体と上記角頭部との間に連結部が形成されていることを特徴とする請求項１記載のボルト。
【請求項３】
上記ボルト本体の上端部に鍔部が設けられ、該鍔部と嵌合する凹所が上記半球体の下面に形成されていることを特徴とする請求項１又は２記載のボルト。
【請求項４】
請求項１記載のボルトを用いて被締結物を構造物に締結した後、半球体と角頭部の間であって、且つ、該半球体の直上面に沿って前記角頭部を除去し、且つ、該半球体の切断面に上記連通孔が露呈しない状態で、前記被締結物の締結を保持することを特徴とするボルトの締結方法。
【請求項５】
請求項１記載のボルトを用いて被締結物を構造物に締結した後、半球体と角頭部の間であって、且つ、該半球体の直上面に沿って切断して、該半球体の切断面に連通孔が露呈しない状態で、前記被締結物の締結を保持し、該締結状態に於いて、該半球体の切断面の上部から切削を施して、該半球体の内側面に設けられた連通孔及び該連通孔に通ずるボルト本体側の角孔を露出させた後、該角孔に嵌合する工具により前記ボルトを弛めて、前記被締結物の締結を解除することを特徴とするボルトの弛緩方法。
【発明の詳細な説明】
【技術分野】
【０００１】
本発明は、建造物等の構造物に被締結物を締結固定するようにしたボルト及び該ボルトの締結方法並びに弛緩方法に関するものであり、特に、使用者以外の不審者等が前記被締結物の締結を解除することを防止するようしたボルト及び該ボルトの締結方法並びに弛緩方法に関するものである。
【背景技術】
【０００２】
従来、構造物例えば建造物の窓に面格子等の被締結物を取り付ける場合は、一般に締結用のボルトを用いて締結することが多い。この種のボルトにおいては、特許文献１に記載されているように、不審者等による前記被締結物の取り外しを阻止するために、該被締結物をボルト及び締付けナットにより締付け、更に、該締付けナットの上に緩み止めナットを取り付けると共に、該緩み止めナットを空回りさせるための防犯用被覆カバーを設けたものが知られている。
【特許文献１】特開２０００−０３９０１２
【発明の開示】
【発明が解決しようとする課題】
【０００３】
上記ボルトは、上記緩み止めナットを上記被覆カバーにより被覆しているが、上記締付けナットは前記被覆カバーにより被覆されていないため、該締付けナットにはスパナ等の回動工具を嵌合させて回動させることができる。而して、該回動工具により締付けナットを回動させると、該締付けナットの回動に伴い前記緩み止めナットが共回りする。従って、不審者等がスパナ等を用いて前記ボルトを弛めて、上記面格子等の被締結物を前記建造物の窓から取り外し、該建造物の中に違法に侵入するという問題があった。
【０００４】
そこで、使用者以外の者が被締結物の締結を違法に解除することを確実に防止するために解決すべき技術的課題が生じてくるのであり、本発明は該課題を解決することを目的とする。
【課題を解決するための手段】
【０００５】
本発明は上記目的を達成するために提案されたものであり、構造物に被締結物を締結するためのボルトであって、該ボルトは、無垢の金属棒によって形成されたボルト本体を有し、且つ、該ボルト本体の下方部にはネジ部が形成されて成るボルトに於いて、該ボルト本体の上端面には、半球体が溶接等の手段で固設され、且つ、該半球体の上面に角頭部が固設されると共に、前記ボルト本体の上方部には、上面開口の角孔が設けられ、更に、前記半球体の内側面には、該角孔よりも大径であって、該角孔に通じる連通孔が設けられているボルトを提供する。
【０００６】
この構成によれば、前記被締結物を前記構造物に締結する場合は、前記角頭部をスパナ等の工具によって回動することにより、前記ボルトを締付けて前記被締結物を前記構造物に締結固定する。
【０００７】
次に、前記被締結物の締結が不審者等により解除されないようにする場合は、切断工具を用いて上記半球体の直上面に沿って切断して、該半球体から前記角頭部を分離する。斯くして、前記被締結物の上に前記半球体の上端面、即ち水平面を露呈させて、前記角頭部が存在しない状態で前記被締結物の締結を保持する。この保持状態では、前記半球体に設けた前記連通孔は該半球体の切断面には露呈されない。
【０００８】
請求項２記載の発明は、上記半球体と上記角頭部との間に連結部が形成されているボルトを提供する。
【０００９】
この構成によれば、前記半球体と角頭部との間に連結部を設けたことにより、該半球体から前記角頭部を切断するとき、前記連結部の長さに相当するスペ−スが形成されるので、該スペ−スを利用することにより、該切断作業が容易に実行される。
【００１０】
請求項３記載の発明は、上記ボルト本体の上端部に鍔部が設けられ、該鍔部と嵌合する凹所が上記半球体の下面に形成されているボルトを提供する。
【００１１】
この構成によれば、前記ボルト本体の上端部に鍔部を設け、該鍔部と嵌合する凹所を前記半球体の下面に形成しているので、前記鍔部を該凹所に嵌合して保持した状態で、前記ボルト本体に前記半球体が溶接等の固定手段により固設される。
【００１２】
請求項４記載の発明は、請求項１記載のボルトを用いて被締結物を構造物に締結した後、半球体と角頭部の間であって、且つ、該半球体の直上面に沿って前記角頭部を除去し、且つ、該半球体の切断面に上記連通孔が露呈しない状態で、前記被締結物の締結を保持するボルトの締結方法を提供する。
【００１３】
この構成によれば、前記被締結物の締結後、前記半球体から前記角頭部が分離除去され、前記被締結物の上には該半球体の上端面、即ち水平面が露呈され、この場合、前記連通孔は該半球体の切断面には露呈されない。従って、該半球体に回動工具を当てて回動しても、該工具は該半球体の曲面上を空回りすることとなる。
【００１４】
請求項５記載の発明は、請求項１記載のボルトを用いて被締結物を構造物に締結した後、半球体と角頭部の間であって、且つ、該半球体の直上面に沿って切断して、該半球体の切断面に連通孔が露呈しない状態で、前記被締結物の締結を保持し、該締結状態に於いて、該半球体の切断面の上部から切削を施して、該半球体の内側面に設けられた連通孔及び該連通孔に通ずるボルト本体側の角孔を露出させた後、該角孔に嵌合する工具により前記ボルトを弛めて、前記被締結物の締結を解除するボルトの弛緩方法を提供する。
【００１５】
この構成によれば、前記半球体の直上面に沿って切断して、前記連通孔を露呈させずに前記被締結物を締結した状態から、該締結を解除するときは、前記半球体の切断面の上部からグラインダ−等の工具で切削を施すことにより、前記ボルト本体側の角孔に通ずる前記連通孔が前記半球体の切削面に露呈される。そこで、該連通孔から前記角孔に嵌合するレンチ等の工具を嵌挿して、前記ボルトを弛緩させることにより、前記被締結物の締結を解除して、該被締結物を前記構造物から取り外すことができる。
【発明の効果】
【００１６】
請求項１記載の発明は、前記被締結物を前記構造物に締結するときは、前記半球体に固設された角頭部をスパナ等の工具で回動することにより、前記ボルトを締付けて前記構造物に前記被締結物を容易に締結することができる。
【００１７】
又、前記被締結物の締結後は、前記半球体と角頭部の間であって、且つ、該半球体の直上面に沿って切断することにより、該角頭部を取り除く。従って、該半球体の切断面には前記連通孔が露呈しない状態で、前記被締結物の締結を保持することができる。更に、前記角孔は前記半球体により隠蔽されているので、使用者以外の者が前記ボルトを弛めて前記被締結物の締結を解除することはできない。
【００１８】
請求項２記載の発明は、前記半球体と角頭部との間には、前記連結部の長さに相当する
分のスペ−スが存在するので、請求項１記載の発明の効果に加え、該スペ−スに工具を挿入した状態で、前記半球体の直上面に沿って実行される切断作業が容易迅速に施工される。
【００１９】
請求項３記載の発明は、前記半球体の下面に設けられている前記凹所に、前記ボルト本体の上端部に設けられた前記鍔部を嵌合保持させた状態で、前記ボルト本体に前記半球体を溶接等の手段により固設できるので、請求項１又は２記載の発明の効果に加え、前記溶接等による固設作業を容易、且つ、高精度に行うことができる。
【００２０】
請求項４記載の発明は、前記被締結物を締結した状態においては、該被締結物の上には半球体の切断面が露呈され、前記ボルト本体に設けられた前記角孔に通じる前記半球体に設けられた前記連通孔は露呈されないので、請求項１記載の発明の効果に加え、不審者等が回動工具を前記半球体に当てて回動操作しても、該工具が前記半球体の曲面上を空回りするために、上記ボルトを弛めることはできない。斯くして、面格子等の前記被締結物を建造物等の前記構造物より取り外すことができず、従って、不審者等の建造物等への侵入を防止することができる
請求項５記載の発明は、前記構造物より前記被締結物を取り外すには、前記半球体の切断面の上部から切削工具で切削を施さなければならないが、不審者等が切削工具を用いて前記半球体の切断面に切削を施した場合は、該切削時に発生する騒音を周囲の者が聴いて、該切削行為を即座に発見できるので、請求項１記載の発明の効果に加え、不審者等は、前記半球体の切断面に切削を施すことを断念せざるをえず、不審者等が前記被締結物を取り外すことを阻止できる。
【発明を実施するための最良の形態】
【００２１】
本発明は、ボルト本体の上端面に、半球体が溶接等の手段で固設され、且つ、該半球体の上面に角頭部が固設されていると共に、前記ボルト本体の上方部には、上面開口の角孔が設けられ、前記半球体の内側面には、該角孔よりも大径であって、該角孔に通じる連通孔が設けられていることにより実現した。
【実施例】
【００２２】
以下、本発明の一実施の形態を図１乃至図８に従って説明する。図中、１は木造住宅の窓等の構造物２に面格子等の被締結物３を締結固定するために使用されるボルトであり、該ボルト１は、無垢の金属棒によって形成されたボルト本体４を有している。該ボルト本体４の上端部には円形の鍔部５が設けられ、該鍔部５と反対側の下方部にはネジ部６が刻設されている。
【００２３】
上記ボルト本体１の上方部には角孔７が開穿され、該角孔７は前記ボルト本体４の長手方向に延びて形成されている。又、該角孔７の上端は、図２に示すように、前記ボルト本体１の上端面に開口し、該角孔７には、角形レンチ等の回動工具８が着脱可能に嵌合される。
【００２４】
上記ボルト本体４の上方部には、図３に示すように、半球体９が溶接等の手段によって一体に固設され、該半球体９は前記角孔７の開口部を被蔽している。又、前記半球体９は、底面１２が平坦面に形成され、該底面１２以外の部分は平面視円形の曲面を呈している。このため、該半球体９にスパナ等の回動工具を当てて回動しても、該回動工具が前記半球体９の曲面上を滑って空回りする。
【００２５】
上記半球体９の底面１２中央には円形の凹所１０が設けられ、該凹所１０は、前記ボルト本体４の上端部に設けた前記鍔部５に外嵌固定されている。又、該凹所１０の中央部には、該凹所１０に連設された連通孔１１が形成され、該連通孔１１は、上記ボルト本体４
に設けられた角孔７に連通している。更に、前記連通孔１１は該角孔７よりも若干大径に形成され、該連通孔１１には上記回動工具８が挿脱自在に嵌挿される。
【００２６】
尚、上記連通孔１１は、前記ボルト本体４に設けられている角孔７によりも大径に形成されるのであるが、該連通孔１１に代えて、前記ボルト本体４に角孔７を設け、又は設けることなく、前記半球体９に角孔７ａを形成することもできる。
【００２７】
図５は、前記連通孔１１に代えて角孔７ａを形成して、該角孔７ａに前記回動工具８が嵌合するように形成した構成例を示す。この場合、好ましくは、上記ボルト本体４の鍔部５の厚さ寸法を図２の構成例よりも若干大に設定して、該厚さ寸法と略同一の深さ寸法を有する角孔７ｂを、前記ボルト本体４の上端部に設けた前記鍔部５の中央部に穿設することもできる。
【００２８】
図５に示す如く構成すると、該被締結物３の締結後に、例えば、使用者がメンテナンス等を行う為に、前記半球体９の直上面１３に沿って切断して前記角頭部１４を除去することにより、該半球体９内側の角孔７ａ及びこれと通じる前記ボルト本体４の角孔７ｂを露呈させて、前記角孔７ａから前記回動工具８を挿入して前記ボルト１を弛緩させるが、このとき、該回動工具８は前記角孔７ａ及び前記角孔７ｂと嵌合して、該回動工具８の嵌合部分が長くなるので、該回動工具８の嵌合状態が安定化し、該回動工具８の回動操作性が向上する。
【００２９】
上記半球体９の外径は、該半球体９の下端方向にいくに伴い拡大するように形成され、該半球体９の底面１２は、上記被締結物３の締結時に、前記ボルト本体４の上端部に設けた鍔部５と協働して該被締結物３を押圧する。
【００３０】
又、前記半球体９の上部には、連結部１５を介して金属製の角頭部１４が一体に固設され、該角頭部１４は、スパナ等の工具が嵌合する角形に形成されている。更に、該連結部１５と前記半球体９との間であって、且つ、該半球体９の直上面１３は、前記被締結物３を締結した後に、切断工具により切断される。
【００３１】
上記ボルト１を用いて、上記構造物２に前記被締結物３を締結するときは、前記角頭部１４をスパナ等の工具で回動することにより、該被締結物３を前記構造物２に締結することができる。斯くして、前記被締結物３は、前記半球体９の底面１２及び前記ボルト本体４の鍔部５により前記構造物２に密着押圧され、その状態で該構造物２に前記被締結物３が締結固定される。
【００３２】
而して、該被締結物３を締結固定した後に、不審者等によって前記構造物２から該被締結物３を取り外せないように保持するには、前記半球体９の直上面１３に沿って切断工具で切断することにより、該半球体９から前記角頭部１４を分離除去する。斯くして、前記被締結物３の上には前記半球体９が残存し、且つ、該半球体９の切断面が露呈されるが、この状態では該半球体９の切断面には、前記角孔７に通じる前記連通孔１１は露呈されない。
【００３３】
ここで、もし不審者等が前記半球体９をスパナ等の工具で回動させようとしたときは、該工具が該半球体９の曲面上を空回りするので、該半球体９は回動せず前記ボルト本体４を弛めることはできない。斯くして、不審者等は、住宅の窓等の前記構造物２に締結された面格子等の前記被締結物３を取り外すことができないため、住宅等の前記構造物２内に不法に侵入することはできない。
【００３４】
図６に示すように、前記被締結物３の締結を保持した状態から、使用者が必要により前
記被締結物３を取り外したい場合は、前記半球体９の切断面１６の上部からグラインダー等の切削工具で切削を施すことにより、該半球体９の内側面に設けた前記連通孔１１、及び該連通孔１１と通じる前記ボルト本体４の角孔７を露呈させる。
【００３５】
そこで、前記連通孔１１から角形レンチ等の前記回動工具８を挿入して前記角孔７に嵌合させた後、図７に示すように、該回動工具８により前記ボルト１を弛める。斯くして、前記被締結物３の締結が解除され、該被締結物３を前記構造物２から取り外すことができる。
【００３６】
尚、前記被締結物３の解除作業を行う際、使用者はグラインダー、レンチ等の一般的な汎用工具が手元にあれば良く、特殊な専用工具を用いることなく簡便に解除作業を行える。
【００３７】
ここで、上記半球体９の切断面１６の上部からグラインダー等で切削を施すときは、該切削時に生ずる大きな切削音が周囲に伝播する。従って、もし不審者等が違法に切削行為を行った場合は、該切削音を周囲の者が聞くことにより、不審者等による違法な切削行為を即座に発見することができる。
【００３８】
尚、本発明は、本発明の精神を逸脱しない限り種々の改変を為すことができ、そして、本発明が該改変されたものに及ぶことは当然である。
【図面の簡単な説明】
【００３９】
【図１】本発明の一実施の形態に係るボルトを示す正面図。
【図２】本発明の一実施の形態に係るボルトの要部を分解して示す一部破断正面図。
【図３】本発明の一実施の形態に係るボルトの要部を示す一部破断正面図。
【図４】本発明の一実施の形態に係るボルト本体の角孔を示す平面図。
【図５】本発明の他の実施の形態に係るボルトの要部を示す一部破断正面図。
【図６】本発明の一実施の形態に係る角頭部を切断したときの締結状態を示す正面図。
【図７】図６の状態の半球体の上部を切削して該半球体の連通孔が露呈した状態を示す平面図。
【図８】図７の状態の半球体の上面から回動工具を挿入してボルトを弛緩する状態を示す正面図。
【符号の説明】
【００４０】
１        ボルト
２        構造物
３        被締結物
４        ボルト本体
５        鍔部
６        ネジ部
７        角孔
７ａ      角孔
７ｂ      角孔
８        回動工具
９        半球体
１０      凹所
１１      連通孔
１２      底面
１３      直上面
１４      角頭部
１５      連結部
１６      切断面
【図１】
2005291226.tif 000003
【図２】
2005291226.tif 000004
【図３】
2005291226.tif 000005
【図４】
2005291226.tif 000006
【図５】
2005291226.tif 000007
【図６】
2005291226.tif 000008
【図７】
2005291226.tif 000009
【図８】
2005291226.tif 000010